(57)【要約】【課題】非接触IC媒体を使った入退管理システムにおいて、非接触IC媒体と通信可能なコイルからなる共用アンテナの設置個数を減らす。【解決手段】  非接触IC媒体を使った入退管理システムにおいて、入室側および退室側の双方から非接触IC媒体と通信可能なように、共用アンテナをドアに取り付ける。非接触IC媒体のタッチを検知して電気錠を開錠するとともに、入退履歴を記録する。望ましくは、非接触IC媒体が入室側および退室側のどちら側からタッチされたかを検知する検知手段を備える。【選択図】      図１
2010090606.tif 000002
【特許請求の範囲】
【請求項１】
認証情報を有する非接触IC媒体を使い、ドアを介した入室および退室を管理するための入退管理システムにおいて、
入室側および退室側の双方から非接触IC媒体と通信可能に前記ドアに取り付けられる共用アンテナと、
ドアを開閉するための開閉手段と、
非接触IC媒体を使った入退履歴を記録する記録部と、
制御部と、
を備え、
前記制御部は、前記共用アンテナに非接触IC媒体がタッチされ、当該非接触IC媒体の正当性を認証することで前記ドアを開けるとともに、当該非接触IC媒体の入退履歴を前記記録部に記録する
ことを特徴とする入退管理システム。
【請求項２】
前記ドアは、前記非接触IC媒体が当該ドアの入室側および退室側のどちら側からタッチされたかを検知する検知手段を備え、
前記制御部は、前記検知手段の検知結果を前記記録部に記録する
ことを特徴とする請求項１に記載の入退管理システム。
【請求項３】
前記共用アンテナは、入室側および退室側の双方から所定方向へ手動で摺動可能に前記ドアへ取り付けられ、
前記検知手段は、前記所定方向の両端に当該共用アンテナが当接したことを検知する１組のセンサであり、
前記制御部は、前記共用アンテナが入室方向へ操作されて一方のセンサに当接したら入室と判断し、前記アンテナが退室方向へ操作されて他方のセンサに当接したら退室と判断する
ことを特徴とする請求項２に記載の入退管理システム。
【請求項４】
前記共用アンテナは、入室側および退室側の双方から前記ドアの厚さ方向へ手動で摺動可能に当該ドアへ取り付けられ、
前記検知手段は、前記所定方向の両端に当該共用アンテナが当接したことを検知する１組のセンサであり、
前記制御部は、入室方向へ前記共用アンテナを押し下げて一方のセンサに当接したら入室と判断し、退室方向へ前記共用アンテナを押し下げて他方のセンサに当接したら退室と判断する
ことを特徴とする請求項２に記載の入退管理システム。
【請求項５】
前記共用アンテナは、押し下げる方向にのみ摺動可能であることを特徴とする請求項４に記載の入退管理システム。
【請求項６】
前記共用アンテナが摺動可能な前記ドアにおける摺動部分の前記ドア厚さ方向の断面積は、前記ドアの厚さ方向に垂直な前記共用アンテナの断面積と略同一であることを特徴とする請求項５に記載の入退管理システム。
【請求項７】
前記共用アンテナは、当該共用アンテナが入室方向および退室方向のどちらへも操作されていないときは、前記１組のセンサへ当接しない位置に、第１および第２の弾性部材により保持されることを特徴とする請求項３〜６のいずれか１項に記載の入退管理システム。
【請求項８】
前記ドアの入室側および退室側のそれぞれに通知部を備え、
前記制御部は、前記ドアの入室側および退室側の双方から同時期に非接触IC媒体が前記共用アンテナにタッチされたとき、入室側または退室側のいずれか一方の側にのみ非接触IC媒体をタッチするよう通知することを特徴とする請求項２〜７のいずれか１項に記載の入退管理システム。
【請求項９】
前記制御部は、非接触IC媒体をタッチするよう通知した側と反対側に対して、非接触IC媒体をタッチしないように通知することを特徴とする請求項８に記載の入退管理システム。
【発明の詳細な説明】
【技術分野】
【０００１】
本発明は、非接触IC媒体を使い、ドアを介した入室および退室を管理するための入退管理システムに関する。
【背景技術】
【０００２】
従来、入退管理システムとして、利用者に非接触IC媒体を持たせ、部屋や施設への出入りが可能な人物かどうかを認証するとともに、その人物の入室・退室記録を管理するシステムが知られている。非接触IC媒体としては、非接触ICカードや、非接触ICチップを組み込んだ携帯端末などがある。
たとえば、特許文献１で開示されているような入退室管理システムでは、電気錠付きのドアと、ドア近傍の入室側および退室側の両側にそれぞれ設置された非接触ICカードの認証情報を読み取るアンテナコイルと、電気錠の操作やアンテナコイルを介した通信を制御する制御部とからなる構成が開示されている。
【０００３】
入退室を行う非接触ICカード所持者は、非接触ICカードをアンテナコイルにかざして（タッチして）、部屋や施設への出入りが可能な人物かどうかの認証を受ける。非接触ICカードには、部屋や施設への出入りが可能であるか否かを認証するための認証情報が記録されている。制御部はアンテナコイルを介して非接触ICカードの認証情報を読み取り、この認証情報を制御装置の記録部に予め記録されている認証情報と比較し、記録部に登録されていれば電気錠を開錠する。非接触ICカード所持者が入室・退室のどちらの動作を行うかを認識するため、ドアの両側にそれぞれ設置されたアンテナコイルの内、どちらにカードがかざされたかで判断する。
【特許文献１】特開２００５−１４６６５２号公報
【発明の開示】
【発明が解決しようとする課題】
【０００４】
上述したような従来技術では、非接触ICカードを使って入退室者を認証することで部屋への入室・退室を管理するため、非接触ICカードと通信するためのアンテナコイルをドアの両側にそれぞれ設置する必要があった。副次的には、複数のアンテナコイルを有する場合は、正常に非接触ICカードを検知するため、アンテナコイル同士の電磁的な干渉を考慮して設置する必要があった。
【０００５】
本発明の課題は、非接触IC媒体を使った入退管理システムにおいて、入室側および退室側の双方から非接触IC媒体と通信可能な共用アンテナをドアに取り付けることで、従来技術に比べ共用アンテナの設置個数を減らすことである。
【課題を解決するための手段】
【０００６】
本発明の入退管理システムは、認証情報を有する非接触IC媒体を使い、ドアを介した入室および退室を管理するための入退管理システムにおいて、入室側および退室側の双方から非接触IC媒体と通信可能に前記ドアに取り付けられる共用アンテナと、ドアを開閉するための開閉手段と、非接触IC媒体を使った入退履歴を記録する記録部と、制御部と、を備え、前記制御部は、前記共用アンテナに非接触IC媒体がタッチされ、当該非接触IC媒体の正当性を認証することで前記ドアを開けるとともに、当該非接触IC媒体の入退履歴を前記記録部に記録することを特徴とする。
【０００７】
前記ドアは、前記非接触IC媒体が当該ドアの入室側および退室側のどちら側からタッチされたかを検知する検知手段を備え、前記制御部は、前記検知手段の検知結果を前記記録部に記録する構成としても良い。
前記共用アンテナは、入室側および退室側の双方から所定方向へ手動で摺動可能に前記ドアへ取り付けられ、前記検知手段は、前記所定方向の両端に当該共用アンテナが当接したことを検知する１組のセンサであり、前記制御部は、前記共用アンテナが入室方向へ操作されて一方のセンサに当接したら入室と判断し、前記アンテナが退室方向へ操作されて他方のセンサに当接したら退室と判断する構成としても良い。
【０００８】
前記共用アンテナは、入室側および退室側の双方から前記ドアの厚さ方向へ手動で摺動可能に当該ドアへ取り付けられ、前記検知手段は、前記所定方向の両端に当該共用アンテナが当接したことを検知する１組のセンサであり、前記制御部は、入室方向へ前記共用アンテナを押し下げて一方のセンサに当接したら入室と判断し、退室方向へ前記共用アンテナを押し下げて他方のセンサに当接したら退室と判断する構成としても良い。
【０００９】
前記共用アンテナは、押し下げる方向にのみ摺動可能である構成としても良い。
前記共用アンテナが摺動可能な前記ドアにおける摺動部分の前記ドア厚さ方向の断面積は、前記ドアの厚さ方向に垂直な前記共用アンテナの断面積と略同一である構成としても良い。
前記共用アンテナは、当該共用アンテナが入室方向および退室方向のどちらへも操作されていないときは、前記１組のセンサへ当接しない位置に、第１および第２の弾性部材により保持される構成としても良い。
【００１０】
前記ドアの入室側および退室側のそれぞれに通知部を備え、前記制御部は、前記ドアの入室側および退室側の双方から同時期に非接触IC媒体が前記共用アンテナにタッチされたとき、入室側または退室側のいずれか一方の側にのみ非接触IC媒体をタッチするよう通知する構成としても良い。
前記制御部は、非接触IC媒体をタッチするよう通知した側と反対側に対して、非接触IC媒体をタッチしないように通知する構成としても良い。
【発明の効果】
【００１１】
本発明の入退管理システムによれば、非接触IC媒体と非接触通信するためのアンテナを、入室側および退室側の双方から非接触通信可能に共用アンテナとしてドアに取り付けるので、従来技術に比べアンテナの設置数を減らすことができる。アンテナの設置数が減るので、アンテナ同士の電磁的な干渉を低減でき、正常に非接触IC媒体を検知するためのアンテナコイル同士の電磁的な干渉を考慮する設計時の複雑さも低減できる、という副次的効果も得られる。
【００１２】
さらに、非接触IC媒体を保有した入退者が入室または退室のどちらの行動をとるかを検知・記録するので、アンテナの設置数を減らしながらも、入室または退室のどちらの行動が行われたかを管理できる。
さらに、共用アンテナを押し下げる方向にのみ摺動可能な構成とすることで、入室または退室のどちらであるかを精度良く判断できる。
【００１３】
さらに、共用アンテナを操作させて、入退者の行動が入室または退室のどちらであるかを判断する際、共用アンテナを初期位置に設定してから操作させることで、より一層入室または退室のどちらであるかを精度良く判断できる。
さらに、同時に入室者と退室者が存在することを検知したとき、いずれか一方の側にのみ非接触IC媒体をタッチするよう通知することで、入退時の混乱を低減できる。
【発明を実施するための最良の形態】
【００１４】
以下、図面を参照して本発明の実施の形態について説明する。
図１は本発明のシステムを模式的に示した構成図であり、ドアを介した入室および退室を上から見た図である。
入退管理システム１００は、部屋や施設の壁などの構造物２００と、部屋や施設への入室および退室を仕切るためのドア２と、制御装置７、通知手段４１・４２とから構成される。通知手段４１・４２は、入室者と退室者のそれぞれへ、スピーカーによる音声や、パネルやディスプレイによる画面情報を使って、種々の情報を通知する。図１において、ドア２の左側が室外、右側が室内である。通知手段４２は、室外側に設置されており、入室を試みる入退者へ何らかの通知を行うための手段である。通知手段４１は、室外側に設置されており、退室を試みる入退者へ通知するための手段である。
【００１５】
ドア２は、入室側および退室側の双方から非接触IC媒体と非接触通信するためのコイルからなる共用アンテナ１、ドア２を開閉する開閉手段である電気錠３、１組の当接センサ９１・９２、１組の人体感知センサ９３・９４とから構成される。共用アンテナ１は、コイル平面の両側から生じる磁界が室内にも室外にも出るように、ドアに埋め込まれている。本実施例では、カードIDや所有者などの認証情報を有する非接触IC媒体の一例として、非接触ICカード８を用いて説明するが、非接触IC媒体は非接触ICチップを組み込んだ携帯端末などでもよい。
【００１６】
当接センサ９１・９２は、ドア２内を摺動可能に取り付けられた共用アンテナ１が当接したことを検出する。図１では、共用アンテナ１はドアの厚さ方向へ摺動可能に取り付けられており、この構成については図２で詳述する。非接触ICカード８を保有する入退者が入室するとき、共用アンテナ１を手動操作で摺動して室内側（入室方向）へ押し下げて、当接センサ９１がこの押し下げを検出することで、入退者が入室の行動をとることを識別する。反対に当接センサ９２が共用アンテナ１の押し下げ（退室方向）を検出すると、入退者が退室の行動をとることを識別する。
【００１７】
人体感知センサ９３・９４としては、赤外線センサやCO2センサなどがある。当接センサ９１・９２のどちらで信号を検知したか、あるいは人体感知センサ９３・９４のどちらかで信号を検知したかにより、非接触ICカード８が室内・室外のどちら側からタッチされたか、すなわち入退者が入室・退室のどちらの行動をとるかを識別できる。このような構成により、非接触IC媒体を保有した入退者が入室または退室のどちらの行動をとるかを検知するので、アンテナの設置数を減らしながらも、入室または退室のどちらの行動が行われたかを管理できる。
【００１８】
センサ９１〜９４からの情報が有線（一部、不図示）もしくは無線で入力される制御装置７は、記録部５と、種々の制御を司る制御部６とから構成される。記録部５は、入退が許可されている非接触ICカード８のリストを保有し、また入退者の入退履歴が制御部６により記録される。入退履歴の情報としては、カードIDや入退日時、入室または退室のどちらかを含む。制御部６は、共用アンテナ１を介した非接触通信、非接触ICカード８の正当性を認証する認証処理、電気錠３の開閉、通知手段４１・４２への通知、記録部５への入退記録などの処理を担う。
【００１９】
図２は、当接センサ９１・９２を使い、共用アンテナ１に対して、非接触ICカード８が室内・室外のどちら側からタッチされたかを識別するための、ドア２の内部の構成を示した一例である。
共用アンテナ１は、コイル平面の両側から生じる磁界が室内にも室外にも出るように、ドア２に埋め込まれている。そして、非接触ICカード８を保有する入退者の手動操作により、ドア２内で入室側および退室側の双方から所定方向へ摺動可能に取り付けられている。このような構成により、従来技術に比べアンテナの設置数を減らすことができる。アンテナの設置数が減るので、アンテナ同士の電磁的な干渉を低減でき、正常に非接触IC媒体を検知するためのアンテナコイル同士の電磁的な干渉を考慮する設計時の複雑さも低減できる、という副次的効果も得られる。
【００２０】
図２では、共用アンテナ１はドア２の厚さ方向へ摺動可能に取り付けられており、ドア平面と共用アンテナ１のコイル平面とを、たとえば平行に設置する。しかしながら、共用アンテナ１の摺動方向は、ドアの厚さ方向に限定されない。たとえば、共用アンテナ１はドア２の横幅方向もしくは縦方向へ手動操作で摺動可能に取り付けられてもよく、この場合は、ドア平面と共用アンテナ１のコイル平面とを所定の角度、たとえば垂直に設置する。
【００２１】
点線で囲んだ部分は、共用アンテナ１が摺動するドア２内の摺動部分２３を示している。ドア厚さ方向の両端には、ドア２と一体化する形で板状部材２１・２２を設けてある。当接センサ９１・９２は、板状部材２１・２２上において、共用アンテナ１を摺動した場合に当接可能な位置に設けてある。当接センサ９１・９２は、たとえばスイッチで構成することができる。共用アンテナ１は、第１の弾性部材１１・第２の弾性部材１２を介して、それぞれ板状部材２１・２２に接続している。これら弾性部材１１・１２により、共用アンテナ１が手動操作されていないときは、当接センサ９１・９２の両方に当接しない位置に保持される。このように、共用アンテナ１が手動操作されていないときは、初期位置をリセットするので、入退者が入退する度に共用アンテナ１を手動操作する必要が生じ、入室または退室のどちらであるかを精度良く判断できる。さらに言うならば、入退の方向を偽る不正を低減できる。
【００２２】
当接センサ９１、板状部材２１および第１の弾性部材１１は、室内側に設けられる。当接センサ９２、板状部材２２および第２の弾性部材１２は、室外側に設けられる。たとえば、室外にいる入退者が入室したい場合（入室方向）は、ドア２の厚さ方向に設けられた共用アンテナ１を手動で摺動して室内側へ押し下げ、当接センサ９１がこの押し下げを検出することで、入退者が入室の行動をとることを判断する。反対に当接センサ９２が共用アンテナ１の押し下げを検出すると（退室方向）、入退者が退室の行動をとることを判断する。
【００２３】
入退者が入退の方向を偽る不正を低減するために、共用アンテナ１は、押し下げる方向にのみ摺動可能であるように構成してもよい。この場合、共用アンテナ１の表面は平坦にする等して、引っ張れない、つまり押し下げることだけが可能な構造とする。そして、共用アンテナ１が摺動可能なドア２における摺動部分２３のドア２厚さ方向の断面積は、ドア２の厚さ方向に垂直な共用アンテナ１の断面積と略同一とすれば実現できる。すなわち、共用アンテナ１が摺動する摺動部分２３の断面積と、共用アンテナ１の摺動方向の断面積とを略同一とし、共用アンテナ１の表面を平坦とすれば、共用アンテナ１を押し下げる以外の操作を困難にでき、入退者が入退の方向を偽る不正をさらに低減できる（入室または退室のどちらであるかを精度良く判断できる）。
図３は、図１の入退管理システムにおける、制御部６の制御フロー図である。以下、図３に基づき本発明の入退管理システムの処理を説明する。
【００２４】
制御部６は、非接触ICカード８（以下、単にカードと称することがある）が共用アンテナ１へタッチされる（翳される）ことを検出するため、共用アンテナ１を介してポーリングを行っている。このポーリングにより、ある１枚のカードがタッチされたことを検知すると、他にもタッチされたカードがあるかを検知するため、複数回ポーリングを行い、タッチされたカード枚数を確認する（ステップS1）。
【００２５】
タッチされたカードが複数枚、すなわち複数の入退者がドア近傍に存在すると検知した場合は、入退管理を適切に行うことが難しいので、一人ずつカードをタッチして入退を行うように指示することが望ましい。たとえば、通知手段４１・４２を介して、一人ずつ入退操作（カードのタッチ）を行うように、音声や画面表示で促し（ステップS12）、処理を終了して次のカードタッチ操作を待つ。この際、通知手段４１と通知手段４２とでは、異なる内容の音声や画面表示により、入退を誘導することができる。一例として、入室したい入退者へは、通知手段４２により再度カードをタッチすることを促し、退室したい入退者へは、通知手段４１によりしばらくカードをタッチしないよう通知し、所定時間経過後にカードをタッチするよう案内する。このように、同時期に入室者と退室者が存在することを検知したとき、いずれか一方の側にのみ非接触IC媒体をタッチするよう通知することで、入退時の混乱を低減できる。
【００２６】
タッチされたカードが１枚だと確認した場合は、カード８の認証情報を読み取り、記録部５が保有する入退許可リストとして登録されているカード８の認証情報と比較する（ステップS2）。ステップS2で比較した結果、カード８が許可されていないと判断した場合は、通知手段４１・４２により、認証が失敗したことを案内し（ステップS11）、処理を終了する。
【００２７】
ステップS2において認証が成功した場合は、当接センサ９１・９２により、入退者の行動が入室方向なのか退室方向なのかを検知する（ステップS3およびS8）。ところで、説明の便宜上、ステップS3の処理後にステップS8の処理が行われるかのごとく描いているが、実際は２つの処理を同時に行うことで、入室方向もしくは退室方向のどちらの行動であるかを検知する。
【００２８】
当接センサ９１が共用アンテナ１の押し下げを検知せず（ステップS3でNo）、さらに当接センサ９２も共用アンテナ１の押し下げを検知しないときは（ステップS8でNo）、通知手段４１・４２により、入退者へ共用アンテナ１を押し下げるように案内し（ステップS10）、共用アンテナ１の押し下げを待つ。
本実施例では、押し下げ案内とともに共用アンテナ１の押し下げを待つこととしたが、共用アンテナ１の押し下げを待たずに処理を終了し、入退処理をはじめから行ってもよい。また、所定時間、共用アンテナ１の押し下げを検知できないときは、タイムアウトにより、処理を終了してもよい（不図示）。
【００２９】
入退者が共用アンテナ１を手動で摺動して、当接センサ９１が共用アンテナ１の押し下げを検知したら（ステップS3でYes）、入室と判断し（ステップS4）、入退者の入退履歴（カードID、入退日時、入室動作であることなど）を記録部５に記録する。当接センサ９１が共用アンテナ１の押し下げを検知せず（ステップS3でNo）、当接センサ９２が共用アンテナ１の押し下げを検知したら（ステップS8でYes）、退室と判断し（ステップS9）、入退者の入退履歴（カードID、入退日時、退室動作であることなど）を記録部５に記録する（ステップS5）。
【００３０】
なお、本実施例では、当接センサ９１・９２により入退者の入室または退室の方向を判断したが、代わりに人体感知センサ９３・９４を用いて判断してもよい。
ステップS5で入退履歴を記録後、通知手段４１・４２を用いて正常に認証が完了したこと通知し（ステップS6）、電気錠３を開錠し（ステップS7）、処理を終了する。
【図面の簡単な説明】
【００３１】
【図１】本発明のシステム構成図である。
【図２】アンテナコイルの可動機構の一例を示す図である。
【図３】本発明の動作を示すフローチャート図である。
【符号の説明】
【００３２】
１  共用アンテナ
２  ドア
３  電気錠
４１・４２  通知手段
５  記録部
６  制御部
７  制御装置
８  非接触ICカード
９１・９２  当接センサ
９３・９４  人体感知センサ
１１  第１の弾性部材
１２  第２の弾性部材
２１・２２  板状部材
１００  入退管理システム
２００  構造物
【図１】
2010090606.tif 000003
【図２】
2010090606.tif 000004
【図３】
2010090606.tif 000005